(57)【要約】      （修正有）【課題】ＩＣカードを収納するＩＣカードケースに対して、高い嗜好性を付与すること。【解決手段】非接触式ＩＣカードを収納する収納部を有するＩＣカードケースであって、画像を表示する表示手段３２と、表示手段３２に表示する画像を記憶する画像記憶手段１０１と、画像記憶手段１０１に記憶される画像から表示手段３２に表示するための画像を選択する画像選択手段１０２と、非接触ＩＣカード用の電磁波を受信する受信手段３１と、を有し、画像選択手段１０２は、受信手段３１が電磁波を受信すると、画像記憶手段１０１に記憶されている画像を選択し、画像を表示手段３２上に表示することを特徴とするＩＣカードケース１。【選択図】図３
0003133280.tif 000002
【実用新案登録請求の範囲】
【請求項１】
非接触式ＩＣカードを収納する収納部と、
画像を表示する表示手段と、
前記表示手段に表示する画像を記憶する画像記憶手段と、
前記画像記憶手段に記憶される画像から前記表示手段に表示するための画像を選択する画像選択手段と、
前記非接触ＩＣカード用の電磁波を受信する受信手段と、を有し、
前記画像選択手段は、前記受信手段が前記電磁波を受信すると、前記画像記憶手段に記憶されている画像を選択し、前記画像を前記表示手段上に表示することを特徴とするＩＣカードケース。
【請求項２】
請求項１に記載のＩＣカードケースであって、
前記受信手段による前記電磁波の受信回数をカウントするカウント手段と、
前記カウント手段によりカウントされた受信回数を記憶する受信回数記憶手段と、
所定の数値を記憶させておく所定値記憶手段と、
前記受信回数と前記所定値とを比較する比較手段と、を有し、
前記画像選択手段は、前記比較手段が前記受信回数と前記所定値とが一致したと判断したとき、前記画像記憶手段に記憶されている画像のうち前記表示手段に表示中の表示画像と異なる新画像を選択して、前記新画像を前記表示手段上に表示することを特徴とするＩＣカードケース。
【請求項３】
請求項２に記載のＩＣカードケースであって、
前記画像記憶手段は、キャラクターが成長する時系列順に数値が関連付けられた画像を有し、
前記画像選択手段は、前記新画像が前記表示画像よりも前記時系列順の数値が大きくなる画像を選択することを特徴とするＩＣカードケース。
【請求項４】
請求項２又は請求項３に記載のＩＣカードケースであって、
前記所定値記憶手段にデータを入力する入力手段を有することを特徴とするＩＣカードケース。
【請求項５】
請求項１乃至請求項４のいずれかに記載のＩＣカードケースであって、
前記画像選択手段に対して使用者が指令を送るための操作手段を有し、
前記画像選択手段は、前記操作手段の指令により前記表示手段上で画像が動くように、前記画像記憶手段に記憶されている画像を選択し、前記表示手段上に表示することを特徴とするＩＣカードケース。
【考案の詳細な説明】
【技術分野】
【０００１】
本考案は、非接触ＩＣカードを収納するＩＣカードケースに関するものである。
【背景技術】
【０００２】
従来、非接触ＩＣカードを収納するＩＣカードケースにおいて、リーダ（質問器）から発せられる電磁波を受信し、その受信を契機として、発光をさせたり、音を鳴らしたりするものがある（例えば、特許文献１参照）。
【０００３】
このような構成により、ＩＣカードケースが、当該カードケース内に収納されるＩＣカードとともにリーダ上を通過すると、ＩＣカードケースから音や光が発せられる。これにより、ＩＣカードケースに嗜好性を付与している。
【０００４】
【特許文献１】特開２００５−２９３１８１
【考案の開示】
【考案が解決しようとする課題】
【０００５】
しかしながら、リーダを通過する際にＩＣカードケースから音や光が発せられるのみでは変化が単調であり、使用者がその変化に慣れやすく、使用者に飽きられやすい。このため、ＩＣカードケースの嗜好性をより高める必要があった。
【０００６】
本考案の目的は、ＩＣカードを収納するＩＣカードケースに対して、高い嗜好性を付与することである。
【課題を解決するための手段】
【０００７】
上記目的を達成するための、ＩＣカードケースの構成は次のとおりである。
【０００８】
（１）
非接触式ＩＣカードを収納する収納部を有するＩＣカードケースであって、画像を表示する表示手段と、前記表示手段に表示する画像を記憶する画像記憶手段と、前記画像記憶手段に記憶される画像から前記表示手段に表示するための画像を選択する画像選択手段と、前記非接触ＩＣカード用の電磁波を受信する受信手段と、を有し、前記画像選択手段は、前記受信手段が前記電磁波を受信すると、前記画像記憶手段に記憶されている画像を選択し、前記画像を前記表示手段上に表示することを特徴とするＩＣカードケース。
【０００９】
（２）
（１）に記載のＩＣカードケースであって、前記受信手段による前記電磁波の受信回数をカウントするカウント手段と、前記カウント手段によりカウントされた受信回数を記憶する受信回数記憶手段と、所定の数値を記憶させておく所定値記憶手段と、前記受信回数と前記所定値とを比較する比較手段と、を有し、前記画像選択手段は、前記比較手段が前記受信回数と前記所定値とが一致したと判断したとき、前記画像記憶手段に記憶されている画像のうち前記表示手段に表示中の表示画像と異なる新画像を選択して、前記新画像を前記表示手段上に表示することを特徴とするＩＣカードケース。
【００１０】
（３）
（２）に記載のＩＣカードケースであって、前記画像記憶手段は、キャラクターが成長する時系列順に数値が関連付けられた画像を有し、前記画像選択手段は、前記新画像が前記表示画像よりも前記時系列順の数値が大きくなる画像を選択することを特徴とするＩＣカードケース。
【００１１】
（４）
（２）又は（３）に記載のＩＣカードケースであって、前記所定値記憶手段にデータを入力する入力手段を有することを特徴とするＩＣカードケース。
【００１２】
（５）
（１）乃至（４）のいずれかに記載のＩＣカードケースであって、前記画像選択手段に対して使用者が指令を送るための操作手段を有し、前記画像選択手段は、前記操作手段の指令により前記表示手段上で画像が動くように、前記画像記憶手段に記憶されている画像を選択し、前記表示手段上に表示することを特徴とするＩＣカードケース。
【考案の効果】
【００１３】
（１）の構成のように、ＩＣカードケースは、リーダを通過する際にリーダから発せされる電磁波を受信手段により受信したとき、画像記憶手段に記憶される画像から一つの画像を画像選択手段が選択し、当該画像を表示手段により表示する。このように、リーダを通過することを契機として、選択された画像が表示手段上に現れるので、ＩＣカードケースに嗜好性を付与することができる。
【００１４】
（２）の構成のように、リーダを通過した回数をカウント手段でカウントし、そのカウントした回数（受信回数）が、予め所定値記憶手段に記憶された所定値に達したとき、表示手段上の画像が表示画像から新画像に変換される。このように構成することで、リーダを通過する際に使用者は、表示画像が新画像に変換されるか否かを気にかけることとなる。これによってＩＣカードケースに十分な嗜好性を付与することができる。
【００１５】
（３）の構成のように、キャラクターの成長の時系列順に数値と画像を関連付ける。例えば、数値が大きくなるにつれてキャラクターが大きく成長したときの画像を関連付けておく。これにより、リーダを通過した回数が多ければ多いほど、表示手段に表示される画像が成長いくことになり、使用者に対して表示画像に更に興味を持たせることが可能となる。こうして、ＩＣカードケースに更に嗜好性を付与することができる。
【００１６】
（４）の構成のように、入力手段を設けたことにより、所定値を適宜変更することができる。所定値を使用者側が意識して入力することで、使用者がその所定値をリーダを通過する目標回数と考えれば、ＩＣカードケースに更に嗜好性を付与することができる。
【００１７】
（５）の構成のように、操作手段を設けたことにより、表示手段に表示された画像を操作することができ、ＩＣカードケースに更に嗜好性を付与することができる。
【考案を実施するための最良の形態】
【００１８】
〔第１実施形態〕
以下、図を用いて本考案の一実施形態を説明する。
【００１９】
［ＩＣカードケース１の構成］
まず、図１及び図２を用いてＩＣカードケース１の構造を説明する。図１はＩＣカードケース１の構成及び使用状態を説明する斜視図である。図２はＩＣカードケース１の構成を説明する分解斜視図であり、（ａ）が表面側からみた分解斜視図（下ケース４０を除く）、（ｂ）が裏面側からみた下ケース４０の斜視図である。
【００２０】
図１に示すように、本実施形態のＩＣカードケース１は、裏面側にＩＣカードＣを収納し、リーダＲからＩＣカードＣへ向けた電磁波が発信されるとき、当該電磁波を受けたことを契機として、画像を表示するものである。以下、構成を詳細に説明する。
【００２１】
図２に示すように、ＩＣカードケース１は、再表面を形成するシートパネル１０と、回路基盤を保護する上ケース２０と、回路基盤３０と、回路基盤３０の下面を保護する下ケース４０と、を有する。
【００２２】
シートパネル１０は軟質又は硬質の樹脂により構成され、上ケース２０の表面に貼付されるもので、裏面に粘着材が配設される。これにより、上ケース２０の表面のキズの形成や汚れの付着を防止する。また、シートパネル１０は、表面に模様や絵柄が印刷されているため、ＩＣカードケース１表面に加飾を施す。更に、シートパネル１０が上ケース２０と別体となっていることで、他の印刷が施されたシートパネルと交換が可能であり、使用者の飽きを予防する。これにより、ＩＣカードケースに嗜好性を付与することができる。
【００２３】
上ケース２０は、硬質の樹脂により構成され、後述の表示手段３２、入力手段３３、操作手段３４、が見えるように、孔Ｈが空いている。上ケース２０があることにより、回路基盤３０の衝撃による破損や、回路基盤３０に対する汚れの付着を防止し、回路基盤３０において安定した制御を行わせることができる。
【００２４】
回路基盤３０は、表面に回路が形成される基盤である。回路基盤３０上には、リーダＲから非接触ＩＣカードＣ用の電磁波を受信するアンテナコイル（受信手段３１）と、画像を表示する液晶パネル（表示手段３２）と、データを入力する入力ボタン（入力手段３３）と、表示された画像を操作するための操作ボタン（操作手段３４）と、ＩＣ（制御手段１００）と、を有する。制御手段１００の詳細な構成は後述する。
【００２５】
受信手段３１は、例えば１３．５６ＭＨｚの周波数の電磁波を受信するアンテナコイルであり、回路基盤３０上に形成される。これにより、ＩＣカードケース１は、リーダＲからの電磁波を受信することができる。
【００２６】
表示手段３２は、制御手段１００の指令により、画像を表示するものである。本実施形態においては、液晶パネルを用いているが、ＩＣカードケース１に搭載可能な軽量のパネル型のディスプレイであればよい。例えば、有機ＥＬディスプレイのようなものであってもよい。
【００２７】
入力手段３３は、数値等のデータを入力する手段である。入力手段３３により入力された情報は、制御手段１００内の記憶手段に記憶される。この情報を表示手段３２上の画像の変化と関連付けることで、ＩＣカードケース１をより嗜好性の高いものとすることができる。
【００２８】
操作手段３４は、表示手段３２上に表示される画像を操作することができる。本実施形態においては、画像を左右に動かすため、左右に１つずつボタンが配置されているが、これに限るものではない。画像を操作させたい方向に対応して、方向ボタン又は方向キーを構成すればよい。
【００２９】
下ケース４０は、ＩＣカードＣ（図１参照）を収納する収納部４１と、回路基盤３０での制御を行わせるための電源を入れる電源収納部４２と、を有する。電源収納部４２には、リチウム電池等のボタン型の電池が収納される。また、収納部４１は、ＩＣカードＣの側部を保持する保持部４１ａと、ＩＣカードＣが抜け落ちないようにするため突起状のストッパ４１ｂと、を有する。尚、本実施形態においては、ＩＣカードＣの表面が露出するように保持部４１ａを構成したが、これに限るものではない。リーダＲからの電磁波を受信することができれば、収納部４１をＩＣカードＣの一部が外部に露出しない構成としてもよい。
【００３０】
［ＩＣカードケース１における制御方法］
図３を用いて、ＩＣカードケース１の制御方法を説明する。図３はＩＣカードケース１の制御手段１００の制御ブロック図である。
【００３１】
図３に示すように、制御手段１００には、表示手段３２に表示する画像を記憶する画像記憶手段１０１と、画像記憶手段１０１に記憶される画像から表示手段３２に表示するための画像を選択する画像選択手段１０２と、を有する。この構成により、受信手段３１から制御手段１００に電流信号が流れると、画像選択手段１０２が画像記憶手段１０１から所定の画像を選択して、表示手段３２に表示する。これにより、ＩＣカードケース１に嗜好性を付与することができる。
【００３２】
また、制御手段１００は、受信手段３１が電磁波を受信する回数をカウントするカウント手段１０３と、カウント手段１０３によりカウントされた受信回数を記憶する受信回数記憶手段１０４と、予め所定の数値を記憶させておく所定値記憶手段１０５と、受信回数と所定値とを比較する比較手段１０６と、を有する。この構成により、比較手段１０６が受信回数と所定値とが一致したと判断したとき、画像記憶手段１０１に記憶されている画像のうち表示手段３２に表示中の表示画像と異なる新画像を選択して、新画像を表示手段３２上に表示する。このように、所定の受信回数に達したときに表示画像と異なる新画像を表示することにより、使用者がリーダＲを通過するとき、表示画像が変わるか否かに注目して、楽しむことができる。尚、表示画像及び新画像の具体的な説明は後述する。
【００３３】
［ＩＣカードケース１の動作］
図１乃至図４を用いて、ＩＣカードケース１がリーダＲを通過する際、具体的にどのような動作をするかの一例を説明する。図４はＩＣカードケース１の表示画像が変化する様子を説明する平面図であり、（ａ）が画像記憶手段に記憶される画像の例を示す図、（ｂ）が画像が変更される状態を示す図である。
【００３４】
まず、動作を説明する前に、画像記憶手段１０１に記憶される画像の例を図４を用いて説明する。図４（ａ）に示すように、画像記憶手段１０１には、キャラクター（本実施形態においてはペンギン）の成長の過程を表している画像に対し、時系列順の数値が関連付けられて格納されている。例えば、時系列順の数値が大きくなるにつれて、キャラクターが大きく成長したときの画像が関連付けられている。具体的には、ペンギンの卵の画像Ｇ１が時系列順の数値１に関連付けられ、卵からかえった子供のペンギンの画像Ｇ２が時系列順の数値２に関連付けられ、成長して大きくなった大人のペンギンの画像Ｇ３が時系列順の数値３に関連付けられる。
【００３５】
ＩＣカードケース１がリーダＲを通過すると（図１参照）、受信手段３１は、リーダＲからの電磁波を受信する。すると、電磁誘導により電流となった信号は、図３に示すように、制御手段１００内のカウント手段１０３でカウントされ、受信回数記憶手段１０４内の数値に１が足される。ここで、比較手段１０６は受信回数記憶手段１０４の数値（受信回数）と所定値記憶手段１０５の数値（所定値）とを比較する。
【００３６】
ここで、比較手段１０６が、受信回数と所定値とが一致しないと判断した場合、比較手段１０６から信号を受けた画像選択手段１０２は、画像記憶手段１０１に記憶されている画像のうち、前回表示した画像又は現在表示している画像と同じ画像を選択して、表示手段３２上に表示する。例えば、図４（ａ）に示す卵の画像Ｇ１が前回又は現在の表示画像であれば、同じ画像であるペンギンの卵の画像Ｇ１を表示したままにしておく。
【００３７】
一方、比較手段１０６が、受信回数と所定値とが一致したと判断した場合、比較手段１０６から信号を受けた画像選択手段１０２は、新画像が表示画像よりも時系列順の数値が大きくなる画像を選択する。例えば、ＩＣカードケース１がリーダＲを通過する前の表示画像がペンギンの卵の画像Ｇ１（時系列順の数値１）であれば、ＩＣカードケース１がリーダＲを通過した後の新画像を子供のペンギンの画像Ｇ２（時系列順の数値２）を表示する。また、更に所定値が経過すると、表示画像が子供のペンギンの画像Ｇ２（時系列順の数値２）であれば、新画像を大人のペンギンの画像Ｇ３（時系列順の数値３）として表示する。
【００３８】
このように構成すると、受信回数が所定値に達するごとに画像がキャラクターが成長することとなり、リーダＲにＩＣカードケース１を通すことに対して使用者に興味を持たせることができ、ＩＣカードケース１に更に嗜好性を付与することができる。
【００３９】
また、所定値は、入力手段３３によって適宜変更することができ、成長した画像のペンギンは、操作手段３４によって操作することができる。これにより、より嗜好性を付与することができる。
【００４０】
尚、本実施形態の画像Ｇ１乃至Ｇ３はキャラクターの例示であり、成長する概念を持つものであれば、他のキャラクターとしてもよい。例えば、ペンギンのような動物以外でも、植物、昆虫等の生物であってもよい。また、実在する生物である必要はなく、架空の生物であってもよい。更に、キャラクターは、生物のみに限るものではなく、成長や進化の概念が想起できるものであればよい。例えば、ロボット、車、武器等の無機物が、時系列順に徐々にグレードアップをしていくというようなものであってもよい。
【００４１】
〔他の実施形態〕
前述の実施形態においては、電磁波の受信を契機に画面上の画像（キャラクター）が育つというものであったが、これに限るものではない。制御手段１００の構成手段を変更することで、様々な嗜好性を加えることができる。
【００４２】
例えば、画像記憶手段１０１中の画像を以下のようなものとしてもよい。キャラクターが成長をするのではなく、受信をすると変身した状態のキャラクターを表示するものとしてもよい。また、生物の画像ではなくともよく、画像を文字として、受信をするとメッセージを表示するものとしてもよい。また、受信をするごとに未完成の絵やパズルが徐々に完成していくものとしてもよい。また、受信をすると架空の通貨が貯まっていくものとしてもよい。
【００４３】
また、画像を表示するだけでなく、他のソフトウェアと連動させるものとしてもよい。例えば、ソフトウェアとして、おみくじ、スロット、ルーレット等のゲームを所定の記憶手段に記憶させ、受信をすると、そのソフトウェアを起動させるものとしてもよい。また、前述した、貯まった架空の通貨に基づいて、ゲームをすることができることとしてもよい。
【００４４】
また、所定の記憶手段に時刻を表示させるソフトウェアを記憶させ、電磁波の受信を契機に時刻を画像として表示するものとしてもよく、時刻をキャラクター等の画像とともに表示するものとしてもよい。また、普段は時刻のみが表示されているが、電磁波の受信を契機にキャラクターと時刻とが両方含まれる画像が表示されるものとしてもよい。
【産業上の利用可能性】
【００４５】
本考案は、リーダの電磁波を受信手段が受信したことを契機に、表示手段に画像を表示させる装置全般に利用することができる。例えば、キーホルダーに受信手段、制御手段、表示手段を設け、リーダを通過すると生物の成長した画像が表示されるように構成してもよい。
【図面の簡単な説明】
【００４６】
【図１】ＩＣカードケース１の構成及び使用状態を説明する斜視図。
【図２】ＩＣカードケース１の構成を説明する分解斜視図。
【図３】ＩＣカードケース１の制御手段１００の制御ブロック図。
【図４】ＩＣカードケース１の表示画像が変化する様子を説明する平面図。
【符号の説明】
【００４７】
Ｃ…ＩＣカード、Ｇ１…ペンギンの卵の画像、Ｇ２…子供のペンギンの画像、Ｇ３…大人のペンギンの画像、Ｒ…リーダ、１…ＩＣカードケース、１０…シートパネル、２０…上ケース、３０…回路基盤、３１…受信手段、３２…表示手段、３３…入力手段、３４…操作手段、４０…下ケース、４１…収納部、４１ａ…保持部、４１ｂ…ストッパ、４２…電源収納部、１００…制御手段、１０１…画像記憶手段、１０２…画像選択手段、１０３…カウント手段、１０４…受信回数記憶手段、１０５…所定値記憶手段、１０６…比較手段
【図１】
0003133280.tif 000003
【図２】
0003133280.tif 000004
【図３】
0003133280.tif 000005
【図４】
0003133280.tif 000006